(57)【要約】【課題】用紙基準のトリム領域内に全面印刷するように印刷画像の倍率を調整することにより、画像欠けの発生を防止すること。【解決手段】出力画像の基準倍率値、用紙縁から所定の非画像枠を形成するトリム領域を格納するＲＡＭ２３６と、主走査方向および副走査方向の倍率をそれぞれ変更する基本倍率調整設定回路１３０と、印刷パラメータを取得し、当該印刷パラメータに設定されている用紙サイズとＲＡＭ２３６に格納されているトリム領域とから、全面印刷した場合にトリム領域による画像欠けが発生しないよう画像データの倍率を計算し、この計算結果にしたがって基本倍率調整設定回路１３０で主走査および副走査の倍率を変更し、基準倍率値およびトリム領域を再設定する自動倍率調整を行ない、印刷を実行するＣＰＵ２００と、を備える。【選択図】      図２
2004260752.tif 000002
【特許請求の範囲】
【請求項１】
印刷対象の画像データに応じて出射されたレーザ光をポリゴンミラーの回転により走査し、感光体上に画像を形成する画像形成装置において、
出力画像の基準倍率値、用紙縁から所定の非画像枠を形成するトリム領域を格納するデータ格納手段と、
主走査方向および副走査方向の倍率をそれぞれ変更する倍率変更手段と、
印刷パラメータを取得し、当該印刷パラメータに設定されている用紙サイズと前記データ格納手段に格納されているトリム領域とから、全面印刷した場合に前記トリム領域による画像欠けが発生しないよう画像データの倍率を計算し、この計算結果にしたがって前記倍率変更手段で主走査および副走査の倍率を変更し、前記基準倍率値および前記トリム領域を再設定する自動倍率調整を行ない、印刷を実行する印刷実行手段と、
を備えたことを特徴とする画像形成装置。
【請求項２】
前記印刷実行手段は、アプリケーションからの指示にしたがって、前記自動倍率調整による印刷処理または前記基準倍率値に基づいた印刷処理を実行することを特徴とする請求項１に記載の画像形成装置。
【請求項３】
前記印刷実行手段は、印刷対象の画像データの縦横比を遵守し、前記トリム領域による画像欠けが生じないように倍率を調整することを特徴とする請求項１に記載の画像形成装置。
【請求項４】
印刷対象の画像データの縦横比によらず、前記トリム領域による画像欠けが生じないように主走査と副走査の倍率をそれぞれ調整することを特徴とする請求項１に記載の画像形成装置。
【請求項５】
前記印刷実行手段は、印刷対象の画像データの縦横比を遵守／非遵守とするかを、アプリケーションからの指示にしたがって実行することを特徴とする請求項３または４に記載の画像形成装置。
【請求項６】
前記印刷実行手段は、印刷対象の画像データの縦横比を遵守／非遵守とするかを、あらかじめ設定されている既定値の内容にしたがって実行することを特徴とする請求項３または４に記載の画像形成装置。
【請求項７】
前記倍率変更手段は、前記ポリゴンミラーの回転速度を変更することにより副走査方向の倍率を調整し、当該副走査方向の倍率を調整した後、主走査画素クロック周期を変更することを特徴とする請求項１に記載の画像形成装置。
【発明の詳細な説明】
【０００１】
【発明の属する技術分野】
本発明は、レーザ光書き込み装置を搭載したデジタル複写機やレーザプリンタなどの画像形成装置に関し、より詳細には、主走査画素クロック周期とポリゴンミラーの回転数を微調整することにより、トリム領域内に画像を収容させる画像形成装置に関する。
【０００２】
【従来の技術】
従来、複写機やレーザプリンタなどの画像形成装置において、用紙上に印刷される画像が用紙と同サイズである場合、用紙を給紙搬送する過程で発生するスキュー（斜め送り）、ずれに起因し、画像の印刷位置と用紙の印刷位置が微小にずれる。このずれにより用紙から画像がはみ出してしまうことになる。また、理論上の用紙サイズと実際のサイズが用紙品質などにより微小に異なる場合があり、理論上の用紙サイズで画像を印刷すると用紙から画像がはみ出てしまう。すなわち、用紙全面に画像を形成すると、端部のトナーが良好に転写されなかったり、端部のトナーが汚れとして付着するなど、用紙の搬送ずれなどによる画像欠けが発生する。このような場合、用紙外に画像が印刷されると印刷品質の低下や機内汚れの原因となる。そこで、用紙全面に印刷を行なう場合、用紙端部から所定の領域には画像を形成しないように、印刷画像の４辺にトリム領域を設け、用紙より少し小さめに画像を印刷することで対応している。
【０００３】
なお、用紙全面に余白を生じることなく印刷を可能にする手段として、キャリアシートを用いるものが開示されている（たとえば、特許文献１参照。）。また、全面印刷の際のカードにできた不測な余白を補うことによって実質的な余白をなくす装置が開示されている（たとえば、特許文献２参照。）。
【０００４】
【特許文献１】
特開２００１−１９２０２号公報
【特許文献２】
特開平１１−２７７８３５号公報
【０００５】
【発明が解決しようとする課題】
しかしながら、上記に示されるようにトリム領域を設けて印刷を行なうと、トリム領域による画像域いっぱいに全面印刷を行なうと、トリム領域が画像とオーバラップすることによる画像欠けが発生するという問題点があった。
【０００６】
本発明は、上記に鑑みてなされたものであって、用紙基準のトリム領域内に全面印刷するように印刷画像の倍率を調整することにより、画像欠けの発生を防止することを目的とする。
【０００７】
【課題を解決するための手段】
上記の目的を達成するために、請求項１にかかる画像形成装置にあっては、印刷対象の画像データに応じて出射されたレーザ光をポリゴンミラーの回転により走査し、感光体上に画像を形成する画像形成装置において、出力画像の基準倍率値、用紙縁から所定の非画像枠を形成するトリム領域を格納するデータ格納手段と、主走査方向および副走査方向の倍率をそれぞれ変更する倍率変更手段と、印刷パラメータを取得し、当該印刷パラメータに設定されている用紙サイズと前記データ格納手段に格納されているトリム領域とから、全面印刷した場合に前記トリム領域による画像欠けが発生しないよう画像データの倍率を計算し、この計算結果にしたがって前記倍率変更手段で主走査および副走査の倍率を変更し、前記基準倍率値および前記トリム領域を再設定する自動倍率調整を行ない、印刷を実行する印刷実行手段と、を備えたものである。
【０００８】
この発明によれば、印刷が開始されると、その印刷パラメータを取得し、当該印刷パラメータに設定されている用紙サイズとデータ格納手段に格納されているトリム領域とから、全面印刷した場合にそのトリム領域から画像欠けが発生しないよう画像データの倍率を計算し、この計算結果にしたがって倍率変更手段で主走査および副走査の倍率を変更し、基準倍率値およびトリム領域を再設定する自動倍率調整を行ない、印刷を実行することにより、用紙基準のトリム領域内に全面印刷するように主走査・副走査の倍率を自動的に調整することが可能になる。
【０００９】
また、請求項２にかかる画像形成装置にあっては、前記印刷実行手段は、アプリケーションからの指示にしたがって、前記自動倍率調整による印刷処理または前記基準倍率値に基づいた印刷処理を実行するものである。
【００１０】
この発明によれば、請求項１において、印刷する画像データにトリム領域にかかるデータがない場合は、倍率を調整する必要がないので、この場合には倍率を変えずに印刷するようにアプリケーションを介して印刷時に指定することにより、使用者およびアプリケーションの目的とする印刷が可能になる。
【００１１】
また、請求項３にかかる画像形成装置にあっては、前記印刷実行手段は、印刷対象の画像データの縦横比を遵守し、前記トリム領域による画像欠けが生じないように倍率を調整するものである。
【００１２】
この発明によれば、請求項１に示す全面印刷における倍率調整の際に、印刷画像データの縦横比が変わらないよう主走査・副走査の倍率調整を行なうことにより、原画像データと同じ縦横比の印刷画像が得られる。
【００１３】
また、請求項４にかかる画像形成装置にあっては、印刷対象の画像データの縦横比によらず、前記トリム領域による画像欠けが生じないように主走査と副走査の倍率をそれぞれ調整するものである。
【００１４】
この発明によれば、請求項１に示す全面印刷における倍率調整の際に、印刷画像データの縦横比が変わってもトリム領域のふちまで全面印刷するように再設定することにより、用紙サイズに近い大きさの画像が得られる。
【００１５】
また、請求項５にかかる画像形成装置にあっては、前記印刷実行手段は、印刷対象の画像データの縦横比を遵守／非遵守とするかを、アプリケーションからの指示にしたがって実行するものである。
【００１６】
この発明によれば、請求項３または請求項４の動作・効果が得られるように、使用者がアプリケーションを介して印刷時に指定することにより、使用者およびアプリケーションの目的に応じた印刷が実現する。
【００１７】
また、請求項６にかかる画像形成装置にあっては、前記印刷実行手段は、印刷対象の画像データの縦横比を遵守／非遵守とするかを、あらかじめ設定されている既定値の内容にしたがって実行するものである。
【００１８】
この発明によれば、請求項３または請求項４の動作・効果が得られるように、システムの使用目的に対応して既定値として印刷時に設定することにより、システムが狙いとする印刷が実現する。
【００１９】
また、請求項７にかかる画像形成装置にあっては、前記倍率変更手段は、ポリゴンミラーの回転速度を変更することにより副走査方向の倍率を調整し、当該副走査方向の倍率を調整した後、主走査画素クロック周期を変更するものである。
【００２０】
この発明によれば、請求項１において、倍率変更手段が、ポリゴンミラーの回転速度を変更することにより副走査方向の倍率を調整し、当該副走査方向の倍率を調整した後、主走査画素クロック周期を変更することにより、主走査・副走査方向の倍率調整が実現する。
【００２１】
【発明の実施の形態】
以下、本発明にかかる画像形成装置の好適な実施の形態について添付図面を参照し、詳細に説明する。なお、本発明はこの実施の形態に限定されるものではない。
【００２２】
本発明の画像形成装置は、レーザ光書き込みユニットを搭載し、主走査画素クロック周期（主走査方向）とポリゴンミラーの回転数（副走査方向）を微調整して変更することにより所定の画像領域（トリム領域）内に画像欠けなく収容させるように画像を形成するものである。以下、具体的に説明する。
【００２３】
図１は、本発明の実施の形態にかかるレーザ光書き込みユニットの構成を示す説明図である。図において、符号１００は画像信号に応じたレーザ光の変調による光学走査を行なうレーザ書き込みユニットであり、密閉構造の筐体内に図示するように所定の光学的条件で各機能部品などが配置されている。符号１０１はレーザ光を偏向・走査するポリゴンミラー、符号１０２は防音ガラス、符号１０３はレーザ光を副走査方向に集光するシリンダレンズ、符号１０４は画像記録外に配置され走査されたレーザ光を導く同期検知ミラー、符号１０５は同期検知ミラー１０４で導かれたレーザ光を検知する同期検知センサ、符号１０６は後述する画像書き込み制御ユニット、符号１０７は防塵ガラス、符号１０８は静電潜像が形成される感光体ドラム、符号１０９はポリゴンミラー１０１で走査されたレーザ光を感光体ドラム１０８上で等ピッチとなるように光学補正するｆθミラー、符号１１０はＢＬＴ、符号１１１は折り返しミラー、符号１２０はレーザ光を変調出力する半導体レーザーである。
【００２４】
図２は、図１のレーザ光書き込み装置を用いた画像形成装置の機能ブロック図である。図において、符号１０１ａはポリゴンミラー１０１を回転するポリゴンモータ、符号１２１はポリゴンモータ１０１ａの駆動を制御するポリゴンモータ制御回路、符号１２３は書込クロック生成回路、符号１２４はビーム同期検出装置、符号１２６は位相同期回路、符号１２７はレーザー駆動回路、符号１３０は基本倍率調整設定回路、符号２０５は画像データバス／制御コマンドバス、符号２１０はシステムコントローラ、符号２１５は操作パネル制御装置、符号２４０は操作パネルである。
【００２５】
これらの図において、印字データの感光体ドラム１０８への光書き込み動作はつぎのようにして行なわれる。画像書き込み制御ユニット１０６上に配置された半導体レーザー１２０から出射されたレーザ光は、シリンダレンズ１０３を通ってポリゴンミラー１０１により偏向走査（反射）される。この偏向走査されたレーザ光は、ｆθミラー１０９に反射することで主走査方向のドットピッチが均等化され、折り返しミラー１１１により感光体ドラム１０８に導かれることで走査される。
【００２６】
この光書き込み動作において、走査されたレーザ光は、主走査方向の端部に設けられた同期検知ミラー１０４を経て同期検知センサ１０５に入射される。この入射されたレーザ光による検知信号は主走査ラインの書き込み開始の基準となる。これを、主走査のライン毎に行ない、主走査画像位置を合わせる。
【００２７】
ところで、主走査方向の画素密度は、半導体レーザー１２０のビーム光の出射間隔とポリゴンミラー１０１の回転速度で決まる。また、副走査方向の画素密度は、感光体ドラム１０８の回転速度とポリゴンミラー１０１の回転速度で決まる。ここでは、感光体ドラム１０８の回転速度を変更すると、転写、定着、記録紙搬送などへの影響が発生することを考慮し、感光体ドラム１０８は一定速度で回転させ、ポロゴンミラー１０１の回転速度の切り替えで副走査方向の倍率調整を行なう。副走査方向の倍率調整を行なうとポリゴンミラー１０１の回転速度が変化し、主走査方向の画素密度も変わるので、主走査方向の倍率調整は、副走査方向倍率調整値を設定し、ポリゴンミラー１０１の回転速度が決まった後に半導体レーザー１２０のビーム出射間隔を変更することで行なう。
【００２８】
図３は、本発明の実施の形態にかかる画像書き込み制御ユニットの内部構成を示すブロック図である。この画像書き込み制御ユニット１０６は、ポリゴンモータ制御回路１２１、印字画像制御部１２２、書込クロック生成回路１２３、ビーム同期検出装置１２４、位相同期回路１２６、レーザー駆動回路１２７を備えている。なお、符号２００は後述するフローチャートの動作などを実行するＣＰＵである。
【００２９】
図３において、印字画像制御部２０２はＣＰＵ２００の命令により画像書き込み制御ユニット１０６全体の制御を実行し、印刷画像信号をレーザー駆動回路１２７に転送する。ビーム同期検出回路１２４は主走査方向のレーザービーム走査基準位置を検出し、印刷画像制御部２０２と位相同期回路２０６に同期信号を送る。書込クロック生成回路１２３は、主走査画素単位の周期でクロックを生成したＣＬＫ０信号を位相同期回路１２６に送る。位相同期回路１２６は、ビーム同期検出回路１２４から送られる同期信号で書込クロック生成回路１２３から送られるＣＬＫ０信号を位相補正し、主走査画素単位でレーザー変調のためのＣＬＫ信号をレーザー駆動回路１２７に転送する。レーザー駆動回路１２７は、印字画像制御部１２２から送られる印刷画像信号を位相同期回路１２６から転送されるＣＬＫ信号の周期でレーザー駆動回路１２７に送り、半導体レーザー１２０は、レーザー駆動回路１２７から送られたレーザー駆動信号によってビームを照射する。ポリゴンモータ制御回路１２１は、印字画像制御１２２の信号にしたがってポリゴンモータ１０１ａを所定の回転速度で回転制御する。
【００３０】
図４は、本発明の実施の形態にかかる画像形成装置のシステム構成を示すブロック図である。このシステムは、画像データと制御コマンドが時分割で転送される画像データバス／制御コマンドバス２０５に、バス制御２２２〜２２４，２３１，２３２，２５６を介し、コピーアプリケーション、ＦＡＸアプリケーション、プリンタアプリケーションなどの複数のアプリケーションの機能を有し、システム全体の制御を実行するシステムコントローラ２１０と、原稿画像の読み取り、電子写真プロセスによる転写紙への画像書き込みを行なう画像入出力制御装置２３０と、本システムの設定の入力およびその状態を表示する操作パネル制御装置２１５と、が接続されている。
【００３１】
システムコントローラ２１０は、ワークメモリ２１１、フレームメモリ２１２、ＮＶＲＡＭ２１３、ＲＡＭ２１４、ＲＯＭ２１５、ＣＰＵ２１６、外部機器通信制御部２１７、システムＩ／Ｆ２１８、ＦＩＦＯバッファ２１９，２２０、メモリコントローラ２２１、バス制御２２２〜２２４を備えている。
【００３２】
ＣＰＵ２１６はシステムコントローラ２１０の制御を行なう。ＲＯＭ２１５にはシステムコントローラ２１０の制御プログラムが格納されている。ＲＡＭ２１４はＣＰＵ２１６が使用する作業用メモリである。ＮＶＲＡＭ２１３は不揮発性メモリであり、副走査倍率調整値および主走査倍率調整値などシステム全体の情報を保管するものである。
【００３３】
外部機器通信制御部２１７は、ＦＡＸ、プリンタで使用する外部機器との通信制御を行なうものである。システムＩ／Ｆ２１８はＣＰＵ２１６の命令によりシステム内で処理されるＦＡＸデータやプリンタデータの転送制御を行なうものである。ワークメモリ２１１はプリンタで使用する画像展開用の作業用メモリである。フレームメモリ２１２は読み取った画像や書き込み画像のイメージデータを蓄積する作業用メモリである。なお、この場合のイメージデータは、符号化されたドットイメージも含まれる。ＦＩＦＯバッファ２２０は入力画像をフレームメモリ２１２に書込む際のデータ転送速度変換を行なうものである。ＦＩＦＯバッファ２１９はフレームメモリ２１１のイメージデータを出力画像としてデータ転送する際に速度変換するものである。メモリコントローラ２１８はＣＰＵ２１６の制御とは関係なしにフレームメモリ２１２とバス間の画像の入出力を制御するものである。
【００３４】
画像入出力制御装置２３０は、前述のように構成されたレーザ光書き込みユニット１００、原稿を光学照射してＣＣＤに取り込んで電気信号として読み取る画像読み取りユニット２３３、帯電〜現像、転写、クリーニング、除電などのユニットなどで構成される電子写真プロセスユニット２３４、給紙部に積載された転写紙の給紙・搬送を制御する転写紙制御部２３５を、ＣＰＵ２００がＲＯＭ２３７の制御プログラムにしたがってＲＡＭ２３６をワークングメモリとして制御するものである。
【００３５】
画像入出力装置２３０が制御できる設定値は、あらかじめシステム既定値としてＮＶＲＡＭ２１３に設定され保存されている。画像入出力装置２３０で使用する設定値は、システムの電源投入時にＮＶＲＡＭ２１３に保存されているシステム既定値の中からバスを経由してＲＡＭ２３６に保存される。
【００３６】
操作パネル制御装置２１５は、操作パネル２４０を構成する入力装置２５１および表示装置２５２を、ＣＰＵ２５３がＲＯＭ２５４の制御プログラムにしたがってＲＡＭ２５５をワークングメモリとして制御するものである。
【００３７】
入力装置２５１はユーザがシステム設定の入力に使用するものである。表示装置２５２はユーザがシステムの設定内容・状態を確認するために必要な情報が表示されるものである。主走査および副走査の基本倍率調整値は、システム調整工程でサンプル画像による倍率測定が行なわれ、操作パネル制御装置２１５により設定が行なわれる。倍率変更を行なった場合に縦横比を守るようにする設定は、ユーザにより、操作パネル２４０を介して設定される。
【００３８】
図５は、本発明の実施の形態にかかる画像形成装置の概略構成例を断面で示す説明図である。この画像形成装置は、前述したプロセスの作像エンジンに、原稿束を読み取り部に自動的に搬送するＡＤＦ（自動原稿搬送装置）２４５、多段の給紙ユニット２６１〜２６４、手差し給紙ユニット２６５、定着装置２６０を通過した記録紙を反転し両面印刷する際に用いられる両面搬送ユニット、排紙ユニットなどが図示のように配置されている。
【００３９】
つぎに、上述した画像形成装置における本発明の特徴となる動作例について説明する。まず、図８に示すフローチャートを参照し、基本倍率調整設定値と用紙サイズと印刷画像サイズとトリム領域とから、トリム領域内で印刷画像が欠けることなく全面印刷するために印刷画像の主走査方向および副走査方向の倍率を自動的に調整して印刷する例について説明する。
【００４０】
画像書き込み制御ユニット１０６は、画像解像度の設定を主走査画素クロック設定とポリゴンモータ回転周期設定で行なう。主走査画素クロック設定は書込クロック生成回路１２３で行なわれる。ポリゴンモータ回転周期設定はポリゴンモータ制御回路１２１によって行なわれる。主走査および副走査方向それぞれの基本倍率調整と全面印刷時の倍率変更は、主走査画素クロック設定とポリゴンモータ回転周期設定を微調整して行なう。
【００４１】
図８において、システムコントローラ２１０からアプリケーションの印刷が開始されると、まず、画像データバス／制御コマンドバス２０５を経由して画像入出力装置２３０に印刷パラメータが送信され、ＣＰＵ２００は受信した印刷パラメータを取得し（ステップＳ１１）、ＲＡＭ２３６に格納すると同時に、当該印刷パラメータに設定されている内容にしたがってレーザ光書き込みユニット１００、電子写真プロセスユニット２３４、転写紙搬送制御部２３５による印刷準備を行なう。続いて、ＲＡＭ２３６に保存されている主走査および副走査の画像ふちのトリム量を取得し（ステップＳ１２）、上記印刷パラメータに設定されている用紙サイズと取得したトリム量から全面印刷する画像データの倍率を計算する（ステップＳ１３）。
【００４２】
続いて、上記計算された倍率から画像印刷用にレーザ光書き込みユニット１００の主走査、副走査の倍率を変更する（ステップＳ１４）。ここで倍率を変更したことによりトリム領域の倍率にも影響がでるので、印刷用紙を基準とした所定のトリム領域にするために、ＲＡＭ２３６に保存されている基本倍率調整と画像印刷用の倍率変更値からトリム領域を再設定する（ステップＳ１５）。続いて、このトリム領域による画像欠けが発生しないように倍率調整された画像データによる印刷を実行する（ステップＳ１６）。
【００４３】
上記倍率変更の具体例を図６に示す。（ａ）は画像データを基本倍率だけで印刷したときにトリム領域３００による画像欠けが発生する場合の画像４００、（ｂ）はトリム領域３００により画像欠けが発生しないように倍率変更すると連動してトリム領域３０１も倍率変更される場合の画像４０１、（ｃ）はトリム領域も含め倍率変更された画像４０１のトリム領域３０１を画像欠けが発生している画像４００時のトリム領域３００に倍率変更し、トリム領域を変更せずにトリム領域３００より内側で全面印刷した場合の画像４０２である。
【００４４】
したがって、トリム領域は用紙のずれ量（横レジストレーション値）、スキュー量（斜め搬送値）に対応して調整することが可能になり、用紙基準のトリム内に全面印刷するようにトリム量調整値に合わせて印刷画像の倍率を調整することにより、用紙外へ画像が印刷されるのを回避でき、かつ画像欠けを防止することができる。
【００４５】
つぎに、図９に示すフローチャートを参照し、トリム領域による画像欠けが発生しなように倍率調整を行なって印刷するか、あるいは基本倍率調整値を基にしたアプリケーション（図を含め、以下「アプリ」と記述する）の指定する倍率で印刷するかをアプリが印刷時に指定する内容にしたがって倍率調整して印刷する例について説明する。
【００４６】
図９において、まず、前述した図８と同様に、システムコントローラ２１０からアプリケーションの印刷が開始されると、まず、画像データバス／制御コマンドバス２０５を経由して画像入出力装置２３０に印刷パラメータが送信され、ＣＰＵ２００は受信した印刷パラメータを取得し（ステップＳ２１）、ＲＡＭ２３６に格納すると同時に、当該印刷パラメータに設定されている内容にしたがってレーザ光書き込みユニット１００、電子写真プロセスユニット２３４、転写紙搬送制御部２３５による印刷準備を行なう。
【００４７】
続いて、取得した印刷パラメータより印刷要求もとアプリがトリム領域による画像欠けが発生しないでトリム領域より内側で全面印刷する指定があるか否かを判断する（ステップＳ２２）。ここで、印刷もとアプリがトリム内全面印刷を指定していると判断した場合、ＲＡＭ２３６に保存されている主走査および副走査の画像ふちのトリム量を取得し（ステップＳ２６）、上記印刷パラメータに設定されている用紙サイズと取得したトリム量から全面印刷する画像データの倍率を計算する（ステップＳ２７）。続いて、上記計算された倍率から画像印刷用にレーザ光書き込みユニット１００の主走査、副走査の倍率を変更する（ステップＳ２８）。
【００４８】
一方、ステップＳ２２において、印刷パラメータに印刷要求もとアプリがトリム領域による画像欠けが発生しないでトリム領域より内側で全面印刷する指定がなかったと判断した場合、基本倍率をもとにアプリの指定する倍率に変更する（ステップＳ２３）。
【００４９】
倍率を変更したことによりトリム領域の倍率にも影響がでるので、印刷用紙を基準とした所定のトリム領域にするために、ＲＡＭ２３６に保存されている基本倍率調整と画像印刷用の倍率変更値からトリム領域を再設定する（ステップＳ２４）。続いて、このトリム領域による画像欠けが発生しないように倍率調整された画像データによる印刷を実行する（ステップＳ２５）。
【００５０】
したがって、印刷する画像データにトリム領域にかかるデータがない場合は、倍率を調整する必要がないので、倍率を変えずに印刷することができ、それを使用者がアプリを介して印刷時に指定できることで、使用者およびアプリの目的とする画像品質を得ることができる。
【００５１】
つぎに、図１０に示すフローチャートを参照し、印刷データの画像の縦と横の比率を崩さずにトリム領域による画像欠けが発生しないように倍率調整を自動で行なって印刷する例について説明する。
【００５２】
図１０において、まず、前述した図８と同様に、システムコントローラ２１０からアプリケーションの印刷が開始されると、まず、画像データバス／制御コマンドバス２０５を経由して画像入出力装置２３０に印刷パラメータが送信され、ＣＰＵ２００は受信した印刷パラメータを取得し（ステップＳ３１）、ＲＡＭ２３６に格納すると同時に、当該印刷パラメータに設定されている内容にしたがってレーザ光書き込みユニット１００、電子写真プロセスユニット２３４、転写紙搬送制御部２３５による印刷準備を行なう。
【００５３】
続いて、ＲＡＭ２３６に保存されている主走査および副走査の画像ふちのトリム量を取得し（ステップＳ３２）、上記印刷パラメータに設定されている用紙サイズと取得したトリム量から全面印刷する画像データの主走査倍率を計算する（ステップＳ３３）。続いて、上記計算された主走査倍率と原画像データの縦横比から副走査の倍率を変更する（ステップＳ３４）。
【００５４】
続いて、上記計算された倍率から副走査方向でトリム領域による画像欠けが発生しないか否かを判断する（ステップＳ３５）。ここで、副走査方向でトリム領域による画像欠けが発生すると判断した場合、画像欠けが発生しない副走査方向の倍率を計算し（ステップＳ３９）、計算された副走査倍率と印刷パラメータにある主走査サイズ、副走査サイズより求まる縦横比から主走査倍率を計算する（ステップＳ４０）。
【００５５】
ステップＳ３５において副走査方向でトリム領域による画像欠けが発生しないと判断した場合、あるいは上記ステップＳ４０の計算を行なった後、画像印刷用にレーザ光書き込みユニット１００の主走査、副走査の倍率を変更する（ステップＳ３６）。倍率を変更したことによりトリム領域の倍率にも影響がでるので、印刷用紙を基準とした所定のトリム領域にするために、ＲＡＭ２３６に保存されている基本倍率調整と画像印刷用の倍率変更値からトリム領域を再設定する（ステップＳ３７）。続いて、このトリム領域による画像欠けが発生しないように倍率調整された画像データによる印刷を実行する（ステップＳ３８）。
【００５６】
したがって、倍率調整で印刷画像データの縦横比が変わらないようにすることにより、原画像データと同じ縦横比の印刷画像が得られる。
【００５７】
つぎに、図１１に示すフローチャートを参照し、印刷データの画像の縦と横との比率を守らずにトリム領域による画像欠けが発生しないように主走査方向と副走査方向の倍率をそれぞれ独立に調整し、印刷する例について説明する。
【００５８】
まず、前述した図８と同様に、システムコントローラ２１０からアプリケーションの印刷が開始されると、まず、画像データバス／制御コマンドバス２０５を経由して画像入出力装置２３０に印刷パラメータが送信され、ＣＰＵ２００は受信した印刷パラメータを取得し（ステップＳ４１）、ＲＡＭ２３６に格納すると同時に、当該印刷パラメータに設定されている内容にしたがってレーザ光書き込みユニット１００、電子写真プロセスユニット２３４、転写紙搬送制御部２３５による印刷準備を行なう。
【００５９】
続いて、ＲＡＭ２３６に保存されている主走査および副走査の画像ふちのトリム量を取得し（ステップＳ４２）、上記印刷パラメータに設定されている用紙サイズと取得したトリム量から全面印刷する画像データの主走査倍率を計算する（ステップＳ４３）。
【００６０】
続いて、印刷パラメータに設定されている用紙サイズと取得したトリム量から全面印刷する画像データの副走査倍率を計算する（ステップＳ４４）。画像印刷用にレーザ光書き込みユニット１００の主走査、副走査方向の倍率を計算する（ステップＳ４５）。倍率を変更したことによりトリム領域の倍率にも影響がでるので、印刷用紙を基準とした所定のトリム領域にするために、ＲＡＭ２３６に保存されている基本倍率調整と画像印刷用の倍率変更値からトリム領域を再設定する（ステップＳ４６）。続いて、このトリム領域による画像欠けが発生しないように倍率調整された画像データによる印刷を実行する（ステップＳ４７）。
【００６１】
上記倍率変更の具体例を図７に示す。（ａ）の符号５０２で示すように、画像データを基本倍率だけで印刷したときに副走査トリム領域により副走査方向で画像欠けが発生する。そこで、（ｂ）の符号５０３に示すように、副走査トリム領域により副走査方向に画像欠けが発生しないように副走査方向だけ倍率を変更し、トリム領域より内側で全面印刷する。
【００６２】
したがって、倍率調整で印刷画像データの縦横比が変わってもトリム領域のふちまで全面印刷を行なうことで、用紙サイズに近い大きさの画像を得ることができる。
【００６３】
つぎに、図１２に示すフローチャートを参照し、印刷データの画像に縦と横の比率を守るか守らないかを印刷するアプリが印刷時に指定し、指定した内容にしたがってトリム領域による画像欠けが発生しないように倍率調整して印刷する例について説明する。
【００６４】
図１２において、まず、前述した図８と同様に、システムコントローラ２１０からアプリケーションの印刷が開始されると、まず、画像データバス／制御コマンドバス２０５を経由して画像入出力装置２３０に印刷パラメータが送信され、さらにＣＰＵ２００は受信した印刷パラメータを取得し（ステップＳ５１）、ＲＡＭ２３６に格納すると同時に、当該印刷パラメータに設定されている内容にしたがってレーザ光書き込みユニット１００、電子写真プロセスユニット２３４、転写紙搬送制御部２３５による印刷準備を行なう。続いて、ＲＡＭ２３６に保存されている主走査および副走査の画像ふちのトリム量を取得する（ステップＳ５２）。
【００６５】
続いて、印刷パラメータより、印刷要求もとアプリが縦横比を守ることが指定されているか否かを判断する（ステップＳ５３）。ここで、縦横比を守ることが指定されていると判断した場合、印刷パラメータに設定されている用紙サイズと取得したトリム量から全面印刷する画像データの主走査倍率を計算し（ステップＳ５９）、さらに副走査倍率を計算する（ステップＳ６０）。続いて、計算された倍率から副走査方向でトリム領域による画像欠けが発生しないかを計算により判断する（ステップＳ６１）。
【００６６】
このステップＳ６１において画像欠けが発生すると判断した場合は、副走査方向で画像欠けが発生しない倍率を計算し（ステップＳ６２）、計算された副走査倍率と印刷パラメータにある主走査サイズ、副走査サイズより計算して求まる縦横比から、主走査倍率を計算する（ステップＳ６３）。
【００６７】
一方、ステップＳ５３において、印刷要求もとが縦横比を守ることを指示していない場合には、印刷パラメータに設定されている用紙サイズと取得したトリム量から全面印刷する画像データの主走査倍率を計算し（ステップＳ５４）、さらに副走査倍率を計算し（ステップＳ５５）、倍率を確定する。
【００６８】
続いて、画像印刷用にレーザ光書き込みユニット１００の主走査、副走査の倍率を変更する（ステップＳ５６）。倍率を変更したことによりトリム領域の倍率にも影響がでるので、印刷用紙を基準とした所定のトリム領域にするために、ＲＡＭ２３６に保存されている基本倍率調整と画像印刷用の倍率変更値からトリム領域を再設定する（ステップＳ５７）。続いて、このトリム領域による画像欠けが発生しないように倍率調整された画像データによる印刷を実行する（ステップＳ５８）。
【００６９】
したがって、使用者がアプリを介して印刷に上記指定を行なうことにより、使用者およびアプリの目的とする画像品質を得ることができる。
【００７０】
ところで、上述した図１２の動作において、印刷データの画像の縦と横の比率を守るか守らないかをシステム既定値として設定してもよい。すなわち、図１２に示すフローチャートのステップＳ５３において、印刷するアプリが縦横比を守るか否かを指定するのに対し、ＲＡＭ２３６に保存されているシステム既定値の設定値が縦横比を守るか守らないかを指定することで、同様の動作が実現する。すなわち、図１２におけるステップＳ５３の部分をシステム既定値による指示の有無として入れ代えればよい。したがって、システムの使用目的により既定値として上記指定を行なうことにより、システムにおける狙いの画像品質を得ることができる。
【００７１】
【発明の効果】
以上説明したように、本発明にかかる画像形成装置（請求項１）によれば、印刷が開始されると、その印刷パラメータを取得し、当該印刷パラメータに設定されている用紙サイズとデータ格納手段に格納されているトリム領域とから、全面印刷した場合にトリム領域から画像欠けが発生しないよう画像データの倍率を計算し、この計算結果にしたがって倍率変更手段で主走査および副走査の倍率を変更し、基準倍率値およびトリム領域を再設定する自動倍率調整を行ない、印刷を実行することにより、用紙基準のトリム領域内に全面印刷するように主走査・副走査の倍率を自動的に調整することが可能になるため、用紙外への画像印刷されるのを防止できると共に画像欠けの発生を回避することができる。
【００７２】
また、本発明にかかる画像形成装置（請求項２）によれば、請求項１において、印刷する画像データにトリム領域にかかるデータがない場合は、倍率を調整する必要がないので、この場合には倍率を変えずに印刷するようにアプリケーションを介して印刷時に指定するので、使用者およびアプリケーションの目的とする印刷品質を得ることができる。
【００７３】
また、本発明にかかる画像形成装置（請求項３）によれば、請求項１に示す全面印刷における倍率調整の際に、印刷画像データの縦横比が変わらないよう主走査・副走査の倍率調整を行なうので、原画像データと同じ縦横比の印刷画像を得ることができる。
【００７４】
また、本発明にかかる画像形成装置（請求項４）によれば、請求項１に示す全面印刷における倍率調整の際に、印刷画像データの縦横比が変わってもトリム領域のふちまで全面印刷するように再設定するので、用紙サイズに近い大きさの画像を得ることができる。
【００７５】
また、本発明にかかる画像形成装置（請求項５）によれば、請求項３または請求項４の動作・効果が得られるように、使用者がアプリケーションを介して印刷時に指定することが可能なため、使用者およびアプリケーションの目的に応じた印刷を行なうことができる。
【００７６】
また、本発明にかかる画像形成装置（請求項６）によれば、請求項３または請求項４の動作・効果が得られるように、システムの使用目的に対応して既定値として印刷時に設定することが可能なため、システムが狙いとする印刷品質を得ることができる。
【００７７】
また、本発明にかかる画像形成装置（請求項７）によれば、請求項１において、倍率変更手段が、ポリゴンミラーの回転速度を変更することにより副走査方向の倍率を調整し、当該副走査方向の倍率を調整した後、主走査画素クロック周期を変更するので、比較的簡単に主走査・副走査方向の倍率調整を行なうことができる。
【図面の簡単な説明】
【図１】本発明の実施の形態にかかるレーザ光書き込みユニットの構成を示す説明図である。
【図２】図１のレーザ光書き込み装置を用いた画像形成装置の機能ブロック図である。
【図３】本発明の実施の形態にかかる画像書き込み制御ユニットの内部構成を示すブロック図である。
【図４】本発明の実施の形態にかかる画像形成装置のシステム構成を示すブロック図である。
【図５】本発明の実施の形態にかかる画像形成装置の概略構成例を断面で示す説明図である。
【図６】本発明の実施の形態にかかる倍率変更処理による画像出力例（１）を示す説明図である。
【図７】本発明の実施の形態にかかる倍率変更処理による画像出力例（２）を示す説明図である。
【図８】本発明の実施の形態にかかる画像形成装置の第１の動作例を示すフローチャートである。
【図９】本発明の実施の形態にかかる画像形成装置の第２の動作例を示すフローチャートである。
【図１０】本発明の実施の形態にかかる画像形成装置の第３の動作例を示すフローチャートである。
【図１１】本発明の実施の形態にかかる画像形成装置の第４の動作例を示すフローチャートである。
【図１２】本発明の実施の形態にかかる画像形成装置の第５の動作例を示すフローチャートである。
【符号の説明】
１００  レーザ光書き込みユニット
１０１  ポリゴンミラー
１０１ａ  ポリゴンモータ
１０６  画像書き込み制御ユニット
１０８  感光体ドラム
１２０  半導体レーザー
１２１  ポリゴンモータ制御回路
１２２  印字画像制御部
１２１  書込クロック生成回路
１２４  ビーム同期検出回路
１２６  位相同期回路
１２７  レーザー駆動回路
１３０  基本倍率設定回路
２００  ＣＰＵ
２３６  ＲＡＭ
２１０  システムコントローラ
２１５  操作パネル制御装置
２４０  操作パネル
【図１】
2004260752.tif 000003
【図２】
2004260752.tif 000004
【図３】
2004260752.tif 000005
【図４】
2004260752.tif 000006
【図５】
2004260752.tif 000007
【図６】
2004260752.tif 000008
【図７】
2004260752.tif 000009
【図８】
2004260752.tif 000010
【図９】
2004260752.tif 000011
【図１０】
2004260752.tif 000012
【図１１】
2004260752.tif 000013
【図１２】
2004260752.tif 000014